(57)【要約】【課題】  非表示領域部分の縮小化が可能な表示パネルを提供する。【解決手段】  前面ガラス基板と背面ガラス基板１０の間の空間Ｓ１の中央部に設定される略方形の領域のうち、この領域の四つのコーナ部のうちの少なくとも一つのコーナ部の所要の領域Ｅ１２ａを除いた部分が表示領域Ｅ１１に設定され、コーナ部の所要の領域Ｅ１２ａが、表示領域Ｅ１１と封止層１１との間の非表示領域Ｅ１２と一体になった非表示領域に設定され、排気口１０Ａが、背面ガラス基板１０の領域Ｅ１２ａの領域の近傍またはこの領域Ｅ１２ａ内に対向する位置に形成されている。【選択図】    図４
2006173019.tif 000002
【特許請求の範囲】
【請求項１】
一対の基板が互いに対向されてこの一対の基板間に形成される空間が基板間の周縁部に形成された封止層によって密閉され、この基板間の空間の中央部分に表示領域が設けられるとともにこの表示領域と封止層との間に非表示領域が設けられ、一対の基板のうちの一方の基板の非表示領域に対向する部分に基板間の空間と基板の外側とを連通する孔が形成されている表示パネルにおいて、
前記一対の基板間の空間の中央部に設定される略方形の領域のうち、この領域の四つのコーナ部のうちの少なくとも一つのコーナ部の所要の領域を除いた部分が表示領域に設定され、
前記コーナ部の所要の領域が、表示領域と封止層との間の非表示領域と一体になった非表示領域に設定され、
前記孔が、一方の基板の非表示領域に設定されたコーナ部の所要の領域の近傍またはこの所要の領域内に対向する位置に形成されている、
ことを特徴とする表示パネル。
【請求項２】
前記孔が、表示領域とコーナ部の所要の領域との境界部分に対して所定の間隔を保つ位置に形成されている請求項１に記載の表示パネル。
【請求項３】
前記コーナ部の所要の領域が、略三角形の領域である請求項１に記載の表示パネル。
【請求項４】
前記コーナ部の所要の領域が、略方形の領域である請求項１に記載の表示パネル。
【請求項５】
前記表示領域内に画素を構成するセルがマトリックス状に配置され、このセルがコーナ部の所要の領域に形成されていないことによって、このコーナ部の所要の領域が非表示領域に設定されている請求項１に記載の表示パネル。
【請求項６】
前記表示領域内にマトリックス状に配置されたセルのコーナ部の所要の領域に対向する行または列におけるセルの数が、内側の行または列から外側の行または列にゆくにしたがってセルの数が減少している請求項５に記載の表示パネル。
【請求項７】
前記表示領域内にマトリックス状に配置されたセルのコーナ部の所要の領域に対向する行または列におけるセルの数が、他の行または列におけるセルの数よりも所定の数だけ少なくなっている請求項５に記載の表示パネル。
【請求項８】
縦横に複数配列されることによって、マルチ表示装置を構成する請求項１に記載の表示パネル。
【発明の詳細な説明】
【技術分野】
【０００１】
この発明は、表示パネルの構成に関する。
【背景技術】
【０００２】
一般に、二枚の基板の間の空間内において発光を行わせることにより表示画像を形成するプラズマディスプレイパネル（ＰＤＰ）やフィールド・エミッション・ディスプレイパネル（ＦＥＤ）等の平面表示パネルは、この発光が行われる二枚の基板の間の空間を真空状態に保ったり、または、この空間内に放電ガス等が充満されている状態を保つために、その製造工程において、二枚の基板の間の空間からの排気と、この真空にされた空間内への放電ガス等の充填が行われる。
【０００３】
図１は、上記のような表示パネルの製造時の排気工程およびガス充填工程における態様を示しており、図２は、表示パネル内の空間からの排気と空間内へのガスの充填のための表示パネルの従来の構成を示している。
【０００４】
この図１および２において、表示パネルＰは、パネルの表示面を構成する前面ガラス基板１と背面ガラス基板２が互いに所要の間隔を開けて対向されて、その間に形成される空間Ｓが、この前面ガラス基板１と背面ガラス基板２の間の周縁部に形成された封止層３によって封止されている。
【０００５】
この前面ガラス基板１と背面ガラス基板２の間の空間Ｓ内には、その中央部分に、画像の形成が行われる表示領域Ｅ１と、この表示領域Ｅ１の周囲を囲む非表示領域Ｅ２とが形成されている。
【０００６】
そして、背面ガラス基板２のコーナ部の非表示領域Ｅ２に対向する部分に、空間Ｓと外部とを連通する排気孔２Ａが形成されている（例えば、特許文献１参照）。
【０００７】
上記のような構成の表示パネルＰは、その製造工程において、図１に示されるように、排気孔２Ａに排気管４が接続され、その接続部が排気管封止材５によってシールされた後、排気管４から排気孔２Ａを介して空間Ｓからの排気が行われ、さらに、この表示パネルが例えばＰＤＰの場合には、この排気工程の終了後に、真空状態の空間Ｓ内に、排気管４から排気孔２Ａを介して例えば放電ガス等のガス導入が行われる。
【０００８】
そして、表示パネルが例えばＦＥＤの場合には排気行程の終了後に、また、表示パネルが例えばＰＤＰの場合にはガス導入工程の終了後に、排気管４が溶融されて封止されることにより、空間Ｓ内が密閉される。
【０００９】
ここで、この排気管４の封止工程時に、排気管４の溶融によって発生すると思われる微量の不純ガスがパネル内部へ侵入する虞があり、この不純ガスが空間Ｓ内の表示エリアＥ１部分に進入して画像形成のための構造物を汚染するような場合には、例えばＰＤＰにおいてはその汚染部分の放電電圧が高くなって、画像形成に悪影響を生じさせてしまう虞がある。
【００１０】
このため、従来の表示パネルＰにおいては、排気管４の封止時に発生する不純ガスが表示領域Ｅ１内に進入するのを防止するために、排気孔２Ａの形成位置と表示領域Ｅ１との距離（図２の距離ｄ）が大きくなるように設定されている。
【００１１】
しかしながら、上記のように排気孔２Ａの形成位置と表示パネルＰの表示領域Ｅ１との間の距離ｄが大きくなると、この排気孔２Ａが位置される非表示領域Ｅ２の幅Ｂが大きくなり、その分、表示パネルＰの外形寸法を大きく設定する必要が生じ、この表示パネルＰを搭載するディスプレイ装置が大型化してしまうという問題が発生する。
【００１２】
また、近年、図３に示されるように、表示パネルＰを縦横に配置して、大型のマルチ表示装置を構成することが提案されている。
【００１３】
このようなマルチ表示装置が表示パネルＰによって構成される場合に、縦横に配列される各表示パネルＰのそれぞれの表示領域Ｅ１間に、各表示パネルＰが有している非表示領域Ｅ２および封止層３，この封止層３の外側に配置される図示しない電極引出部等によって、画像が形成されない目地部分Ｊが形成されるが、上記のように、表示パネルＰの非表示領域Ｅ２の幅が排気孔２Ａの形成のために大きくなる場合には、マルチ表示装置の目地部分Ｊの幅も大きくなるため、マルチ表示装置を構成する各表示パネルＰによって形成される映像の一体感が損なわれて、視聴者にとって非常に見苦しいものになってしまうという問題が発生する。
【００１４】
【特許文献１】特開２０００−３６２５４号
【発明の開示】
【発明が解決しようとする課題】
【００１５】
この発明は、上記のような従来の表示パネルにおける問題点を解決することをその課題の一つとしている。
【課題を解決するための手段】
【００１６】
この発明（請求項１に記載の発明）による表示パネルは、上記目的を達成するために、一対の基板が互いに対向されてこの一対の基板間に形成される空間が基板間の周縁部に形成された封止層によって密閉され、この基板間の空間の中央部分に表示領域が設けられるとともにこの表示領域と封止層との間に非表示領域が設けられ、一対の基板のうちの一方の基板の非表示領域に対向する部分に基板間の空間と基板の外側とを連通する孔が形成されている表示パネルにおいて、前記一対の基板間の空間の中央部に設定される略方形の領域のうち、この領域の四つのコーナ部のうちの少なくとも一つのコーナ部の所要の領域を除いた部分が表示領域に設定され、前記コーナ部の所要の領域が、表示領域と封止層との間の非表示領域と一体になった非表示領域に設定され、前記孔が、一方の基板の非表示領域に設定されたコーナ部の所要の領域の近傍またはこの所要の領域内に対向する位置に形成されていることを特徴としている。
【発明を実施するための最良の形態】
【００１７】
この発明は、互いに対向された前面ガラス基板と背面ガラス基板の間に形成される空間が封止層によって密閉された表示パネルにおいて、この基板間の空間の中央部に設定される表示領域が、略方形の領域のうちの四つのコーナ部の少なくとも一つのコーナ部の所要の領域を除いた部分となるように設定され、この略方形の領域のコーナ部の所要の領域および表示領域と封止層との間の領域が非表示領域に設定され、背面ガラス基板の非表示領域に設定されたコーナ部の所要の領域の近傍またはこの所要の領域内に対向する位置に、基板間の空間内からの排気や空間内へのガスの導入などを行う孔が形成されている表示パネルを、その最良の実施形態としている。
【００１８】
この実施形態における表示パネルは、その表示領域のコーナ部に非表示領域となる所要の領域が設けられていることによって、背面ガラス基板の非表示領域に対向する部分に表示領域に対して所要の間隔を保って形成される排気用またはガス導入用の孔の位置が、表示領域のコーナ部に設けられている所要の領域の分だけ従来の表示パネルの場合と比較して表示パネルの中心位置に接近され、これによって、表示領域の周囲に確保すべき非表示領域の幅を従来のものと比較して小さくすることが可能になり、表示パネルの外形形状を小型化したり、また、マルチ表示装置を構成する場合の各表示パネル間の目地部分の幅を小さくすることが可能になる。
【実施例】
【００１９】
図４は、この発明による表示パネルの実施形態における一実施例におけて、表示パネルの図２と同一部分における構成を前面ガラス基板を外した状態で示している。
【００２０】
この図４において、表示パネルを構成する二枚のガラス基板のうちの背面ガラス基板１０の周縁部の内側に、図示しない前面ガラス基板との間で、この前面ガラス基板と背面ガラス基板１０との間に形成される空間Ｓ１を密閉する封止層１１が形成されている。
【００２１】
そして、この空間Ｓ１内に、その中央部分を占める画像の表示領域Ｅ１１と、この表示領域Ｅ１１と封止層１１との間において表示領域Ｅ１１の周囲を囲む非表示領域Ｅ１２が設定されている。
【００２２】
背面ガラス基板１０の四つのコーナ部のうちの一つの角部において、封止層１１の内側の非表示領域Ｅ１２に対向する位置に、空間Ｓ１からの排気と、この表示パネルが例えばＰＤＰの場合にはこの空間Ｓ１内へのガスの導入を行う排気口１０Ａが形成されている。
【００２３】
表示領域Ｅ１１は、空間Ｓ１内の中央部に位置している方形の領域部分のうち、背面ガラス基板１０の排気口１０Ａが形成されている位置に対向するコーナ部の所要の領域Ｅ１２ａを除いた領域を占めるように設定されている。
【００２４】
図４に図示されている例では、表示領域Ｅ１１の平面形状が、その排気口１０Ａの形成位置に対向するコーナ部を三角形の領域Ｅ１２ａ分だけ面取りした形状になっている。
【００２５】
そして、この面取りされた領域Ｅ１２ａの部分は、非表示領域Ｅ１２と一体になった非表示領域を構成している。
【００２６】
このように、表示領域Ｅ１１が方形の領域から領域Ｅ１２ａの分だけ面取りされた領域となるように設定されていることにより、排気口１０Ａを、従来の表示パネルの場合と比較して、表示パネルの中心位置に領域Ｅ１２ａの分だけ接近させて形成することが可能になる。
【００２７】
すなわち、図５に示されるように、領域Ｅ１２ａの形状が二等辺三角形でその直角を挟む一辺の長さがｍであるとすると、表示領域Ｅ１１と排気口１０Ａとの間に確保すべき間隔が図２の場合と同じｄである場合に、領域Ｅ１２ａの部分が画像の非表示領域となることによって、排気口１０Ａの形成位置と表示パネルの中心位置との間隔が、図２の場合と比較して、ｍ／√２だけ短縮される。
【００２８】
そして、この排気口１０Ａの形成位置と表示パネルの中心位置との間隔が短縮されることによって、表示領域Ｅ１１を囲む上下および左右の部分に必要な非表示領域Ｅ１２の幅が、図２の場合と比較して、それぞれｍ／２ずつ小さくなる。
【００２９】
すなわち、図２の場合の非表示領域の幅がＢであるのに対し、図４の場合の非表示領域Ｅ１２の幅は、（Ｂ−ｍ／２）となる。
【００３０】
従って、この表示パネルによれば、表示領域Ｅ１１の周囲に確保すべき非表示領域Ｅ１２の幅が従来のものと比較して小さくなるので、同じ大きさの表示領域を有する表示パネルの外形形状を従来のものと比べて小型化することが可能になる。
【００３１】
そして、この表示パネルによってマルチ表示装置が構成される場合に、各表示パネル間に形成される目地部分の幅が、従来の表示パネルによってマルチ表示装置が構成される場合と比較して大幅に小さくなるので、このマルチ表示装置によって形成される映像の一体感が損なわれることの無い、視聴者にとって見易い大画面の画像表示が可能になる。
【００３２】
なお、上記においては、領域Ｅ１２ａの形状が二等辺三角形である場合の例について説明を行ったが、領域Ｅ１２ａの形状は図示の例の場合に限らず、例えば、他の三角形や方形，半円形等の任意の形状に設定することができる。
【００３３】
図６は、表示パネルの表示領域が、その排気口の形成位置に対向するコーナ部が三角形の領域分だけ面取りされた形状に設定される場合のセル構造の一例を示している。
【００３４】
この図６において、表示領域Ｅ２１内に、赤，緑，青の三原色に色分けされて画像形成のための画素を構成するセル（例えば、ＰＤＰにおける放電セル）Ｃがマトリックス状に配置されているが、最も左側のセルＣの列（赤のセルの列）の下端側（または、最も下側の行の左端側）に複数個分（図示の例では２個分）のセルが形成されておらず、そして、この最も左側の列（最も下側の行）から一列（一行）ずつ内側の列（行）にゆくにしたがって、形成されていないセルの個数が所定の数ずつ（図示の例では、１個ずつ）減少するように、表示領域Ｅ２１においてセルＣの形成が行われている。
【００３５】
このような表示領域Ｅ２１内におけるセルＣの配置によって、表示領域Ｅ２１のコーナ部に図示のような非表示領域となる三角形の領域Ｅ２２ａが形成され、この領域Ｅ２２ａが、表示領域Ｅ２１の周囲に形成される領域と一体になって非表示領域Ｅ２２が形成される。
【００３６】
排気口２０Ａは、この非表示領域Ｅ２２内の領域Ｅ２２ａに対向するとともに領域Ｅ２２ａに近接する位置、または図示のように領域Ｅ２２ａ内に開口するように形成される。
【００３７】
図７は、表示領域の角部に形成される非表示領域となる領域の形状が、方形となるように設定される場合のセル構造の一例を示している。
【００３８】
この図７において、表示領域Ｅ３１内にセルＣがマトリックス状に配置されているが、左側から数列（図示の例では２列）の下側部分（または、下側から数行の左側部分）にそれぞれ複数個分（図示の例では２個分）のセルが形成されていない。
【００３９】
このような表示領域Ｅ３１内におけるセルＣの配置によって、表示領域Ｅ３１のコーナ部に図示のような方形の領域Ｅ３２ａが形成され、この領域Ｅ３２ａが、表示領域Ｅ３１の周囲に形成される領域と一体になって非表示領域Ｅ３２が形成される。
【００４０】
排気口３０Ａは、この非表示領域Ｅ３２内の領域Ｅ３２ａに対向するとともに領域Ｅ３２ａに近接する位置、または図示のように領域Ｅ３２ａ内に開口するように形成される。
【００４１】
なお、上記の各表示パネルにおいて、領域Ｅ１２ａ，Ｅ２２ａ，Ｅ３２ａの面積が大きくなるほど非表示領域Ｅ１２，Ｅ２２，Ｅ３２の幅を小さくすることが出来るが、この非表示領域を構成する領域Ｅ１２ａ，Ｅ２２ａ，Ｅ３２ａの面積が大きくなるほど表示領域Ｅ１１，Ｅ２１，Ｅ３１の面積が小さくなる（セルＣの数が減少する）ので、領域Ｅ１２ａ，Ｅ２２ａ，Ｅ３２ａの大きさは、表示領域の面積の減少を考慮しながら設定される。
【００４２】
また、上記の各例においては、表示パネルに排気口が一個設けられている場合について説明が行われているが、表示パネルに二個以上の排気口が形成される場合には、表示領域の排気口が形成される位置に対向する部分の複数のコーナ部に、前述したような非表示領域となる領域が、それぞれ形成される。
【図面の簡単な説明】
【００４３】
【図１】従来の表示パネルの製造工程時における状態を示す断面図である。
【図２】図１のII−II線における部分断面図である。
【図３】従来の表示パネルによって構成されたマルチ表示装置を示す正面図である。
【図４】この発明の実施例を示す部分断面図である。
【図５】図４の要部部分の長さの関係を示す説明図である。
【図６】この発明の実施例におけるセルの配置の一例を示す説明図である。
【図７】この発明の実施例におけるセルの配置の他の例を示す説明図である。
【符号の説明】
【００４４】
１                            …前面ガラス基板（基板）
２，１０                      …背面ガラス基板（基板）
１０Ａ，２０Ａ，３０Ａ        …排気口（孔）
１１                          …封止層
Ｅ１１，Ｅ２１，Ｅ３１        …表示領域
Ｅ１２，Ｅ２２，Ｅ３２        …非表示領域
Ｅ１２ａ，Ｅ２２ａ，Ｅ３２ａ  …領域（所要の領域）
Ｃ                            …セル
【図１】
2006173019.tif 000003
【図２】
2006173019.tif 000004
【図３】
2006173019.tif 000005
【図４】
2006173019.tif 000006
【図５】
2006173019.tif 000007
【図６】
2006173019.tif 000008
【図７】
2006173019.tif 000009